(57)【要約】【課題】バラストタンク内のバラスト水の次亜塩素酸ナトリウム濃度を航行中に制御できる処理システムの提供。【解決手段】取水口１０４とバラストタンク１０３とを接続するバラスト水供給ライン１０７と、前記ライン１０７に接続し前記取水口１０４から取水された液体中の水生微生物を殺菌処理するための次亜塩素酸ナトリウム水溶液を前記ライン１０７に供給する薬液供給装置１０１と、前記バラスト水供給ライン１０７とは別に一端が前記薬液供給装置１０１に接続し他端がバラストタンク１０３に接続する薬液追加ライン１０２とを備えるバラスト水処理システム。【選択図】図１
2012086200.tif 000002
【特許請求の範囲】
【請求項１】
取水口とバラストタンクとを接続するバラスト水供給ラインと、
前記ラインに接続し前記取水口から取水された液体中の水生微生物を殺菌処理するための次亜塩素酸ナトリウム水溶液を前記ラインに供給する薬液供給装置とを備え、
さらに、前記バラスト水供給ラインとは別に、一端が前記薬液供給装置に接続し他端がバラストタンクに接続する薬液追加ラインとを備えるバラスト水処理システム。
【請求項２】
さらに、バラストタンク内のバラスト水の次亜塩素酸ナトリウム濃度を測定する濃度計と、前記薬液追加ラインを経由した次亜塩素酸ナトリウムの供給を制御する制御部とを有し、前記制御部は、船舶の航行中に前記濃度計で測定された次亜塩素酸ナトリウム濃度が所定濃度以下となった場合に前記薬液供給装置から前記追加ラインを経由して次亜塩素酸ナトリウムを供給する、請求項１記載のバラスト水処理システム。
【請求項３】
さらに、バラストタンク内のバラスト水の次亜塩素酸ナトリウム濃度、前記薬液供給装置内の次亜塩素酸ナトリウム濃度、及び航行データを記録する記録部を備え、
前記制御部は、前記記録部に記録された情報に基づいて記薬液供給装置から前記追加ラインを経由して供給する次亜塩素酸ナトリウムの量を決定することを含む、請求項２記載のバラスト水処理システム。
【請求項４】
請求項１から３のいずれかに記載のバラスト水処理システムを備える船舶。
【請求項５】
バラストタンクと、取水口と前記バラストタンクとを接続するバラスト水供給ラインと、前記ラインに接続し前記液体中の水生微生物を殺菌処理するための次亜塩素酸ナトリウム水溶液を前記ラインに供給する薬液供給装置とを備える船舶におけるバラストタンク内のバラスト水の次亜塩素酸ナトリウム濃度を管理するバラスト水処理方法であって、
船舶の航行中に前記バラストタンク内のバラスト水の次亜塩素酸ナトリウム濃度が所定濃度以下となった場合に、前記バラスト水供給ラインとは別に備えられた一端が前記薬液供給装置に接続し他端がバラストタンクに接続する薬液追加ラインを経由してバラストタンク内に次亜塩素酸ナトリウムを供給することを含む、バラスト水処理方法。
【請求項６】
前記薬液追加ラインを経由した次亜塩素酸ナトリウムの供給量が、バラストタンク内のバラスト水の濃度測定データ及びバラスト水の容積データ、並びに航行データに基づき決定されることを含む、請求項５記載のバラスト水処理方法。
【発明の詳細な説明】
【技術分野】
【０００１】
本発明は、バラスト水処理システム及びバラスト水処理方法に関する。
【背景技術】
【０００２】
タンカーや大型貨物船等といった船舶においては、オイルや貨物を搭載しない又はそれらの搭載量が少ない状態で航行する場合、船舶の安定性やバランスの確保のために、通常、バラストタンク内にバラスト水を収容して航行している。このバラスト水は、通常、荷揚げした港において海水などを汲み上げて注入し、荷積みした港において排出される。このように、バラスト水は荷揚げした港の海水などを使用することから、バラスト水には荷揚げした港周辺に生息する水生微生物等が含まれ、この水生微生物が荷積みした港においてバラスト水とともに排出される。
【０００３】
近年、この水生微生物を含むバラスト水の排出による生態系の乱れが国際的な問題となっている。このため、国際海事機関（ＩＭＯ）は、２００４年にバラスト水管理条約を採択し、その中で、排出するバラスト水に生息する生物の排出基準が厳しく定められている。
【０００４】
バラスト水の処理方法としては様々な方法が提案されている。具体的には、ろ過及び遠心分離等により水生微生物を除去する方法、物理的・機械的に水生微生物を殺滅する方法、熱により水生微生物を殺滅する方法、化学薬品をバラストタンク中に注入したり塩素系物質等を生成させたりすることにより水生微生物を殺滅する方法（例えば、特許文献１及び非特許文献１）並びにこれらの方法を組み合わせた方法等がある。
【０００５】
一方で、バラスト水中の水生微生物を排除できたとしても、排水中に残留する次亜塩素酸ナトリウム濃度によっては、港周辺の環境を破壊する恐れもある。そのため、排出時にはバラスト水の次亜塩素酸ナトリウム濃度等に応じて還元剤が添加され中和する方法や、バラスト水を放置してバラスト水中の残留塩素濃度を実質的にゼロとする方法（特許文献２）等が提案されている。
【先行技術文献】
【特許文献】
【０００６】
【特許文献１】特表２００７−５１５２８９号公報
【特許文献２】特許第４２６２７２０号公報
【非特許文献】
【０００７】
【非特許文献１】Yukihiko OKAMOTO et al., JFE技法No.25(2010年2月)p.1-6
【発明の概要】
【発明が解決しようとする課題】
【０００８】
上記の通り、バラスト水管理条約が採択されてバラスト水処理装置の設置が義務付けられたことによりバラスト水を処理可能となる新たな技術がいっそう求められることとなった。そのなかでも、バラスト水中に過剰に次亜塩素酸ナトリウムが存在すると排出時に還元剤が必要となったり、あるいは、放置のための時間が必要となったりするため、バラスト水における次亜塩素酸ナトリウム濃度の制御に関する新たな技術が期待されている。そこで、本発明は、バラスト水の次亜塩素酸ナトリウム濃度を制御できる新たな処理システムを提供する。
【課題を解決するための手段】
【０００９】
本発明は、一態様において、取水口とバラストタンクとを接続するバラスト水供給ラインと、前記ラインに接続し前記取水口から取水された液体中の水生微生物を殺菌処理するための次亜塩素酸ナトリウム水溶液を前記ラインに供給する薬液供給装置と、前記バラスト水供給ラインとは別に一端が前記薬液供給装置に接続し他端がバラストタンクに接続する薬液追加ラインとを備えるバラスト水処理システムに関する。
【００１０】
本発明は、その他の態様において、バラストタンクと、取水口と前記バラストタンクとを接続するバラスト水供給ラインと、前記ラインに接続し前記取水口から取水された液体中の水生微生物を殺菌処理するための次亜塩素酸ナトリウム水溶液を前記ラインに供給する薬液供給装置とを備える船舶におけるバラストタンク内のバラスト水の次亜塩素酸ナトリウム濃度を管理するバラスト水処理方法であって、船舶の航行中に前記濃度計で測定された次亜塩素酸ナトリウム濃度が所定濃度以下となった場合に、前記バラスト水供給ラインとは別に一端が前記薬液供給装置に接続し他端がバラストタンクに接続する薬液追加ラインを経由してバラストタンク内に次亜塩素酸ナトリウムを供給することを含むバラスト水処理方法に関する。
【発明の効果】
【００１１】
本発明によれば、船舶の航行中においてもバラストタンク内のバラスト水の次亜塩素酸ナトリウム濃度を適切に制御できる。また、本発明によれば、バラストタンク内で次亜塩素酸ナトリウムが過剰となって排水に多量の還元剤を用いたり、あるいは、時間をかけて放置したりすることを回避できるという効果を奏し得る。
【図面の簡単な説明】
【００１２】
【図１】図１は、実施の形態１におけるバラスト水処理システムの一例を示す概略構成図である。
【図２】図２は、薬液供給装置の構成の一例を示す概略構成図である。
【図３】図３は、実施の形態２におけるバラスト水制御システムの構成例を示す機能ブロック図である。
【図４】図４は、測定部及び制御部の構成例、並びに記録部に記録されるデータ例を示す機能ブロック図である。
【図５】図５は、実施の形態１のバラスト水処理システムにおけるバラスト水処理方法の一例を示すフローチャートである。
【発明を実施するための形態】
【００１３】
バラスト水を積んだ船舶の航行時間が長くなれば、バラストタンク内のバラスト水の次亜塩素酸ナトリウム濃度は下がり、バラスト水中の水生微生物の殺菌や増殖抑制が難しくなる場合がある。一方、船舶の航行中に取水口から新たにバラスト水を取水することは、船舶のバランスの問題があり、通常行うことが困難と考えられる。したがって、新たにバラスト水を追加してバラストタンク内の濃度調節することは困難である。さらに、バラスト水の次亜塩素酸ナトリウム濃度を最初から高く設定すると、配管やバラストタンクが傷んだり、バラスト水の排水時に多量の還元剤又は長時間の放置を必要としたりする事態を招き得る。本発明は、本来バラスト水注水時にバラスト水供給ラインの取水された液体に加えること目的とした薬液供給装置から、前記ラインとは別の配管（薬液追加ライン）を用いてバラストタンク内に次亜塩素酸ナトリウムを必要に応じて供給すれば、バランスを崩すことのない範囲の量で高濃度の次亜塩素酸ナトリウムを供給でき、航行中であってもバラストタンク内におけるバラスト水の次亜塩素酸ナトリウム濃度を制御できる、という知見に基づく。
【００１４】
したがって、本発明は一態様において、取水口とバラストタンクとを接続するバラスト水供給ラインと、前記ラインに接続し前記取水口から取水された液体中の水生微生物を殺菌処理するための次亜塩素酸ナトリウム水溶液を前記ラインに供給する薬液供給装置とを備え、さらに、前記バラスト水供給ラインとは別に、一端が前記薬液供給装置に接続し他端がバラストタンクに接続する薬液追加ラインとを備えるバラスト水処理システムに関する。
【００１５】
本発明のバラスト水処理システムによれば、船舶の航行中にバラストタンク内のバラスト水の次亜塩素酸ナトリウム濃度を制御できるという効果を奏し得る。さらに、前記航行中の濃度制御をバラスト水の取水をすることなく行えるため、船舶のバランスに与える影響が小さいという効果も好ましくは奏し得る。さらに、航行中の次亜塩素酸ナトリウム濃度制御が可能となるから、注入時に次亜塩素酸ナトリウム濃度を高くすることを避けることができ、配管やバラストタンクが傷んだり、バラスト水の排水時に多量の還元剤又は長時間の放置を必要としたりすることを回避できるという効果を奏し得る。
【００１６】
本明細書において「取水口から取水された液体（単に「取水された液体」という場合も含む）」とは、船外から取水されバラストタンクに貯留されてバラスト水として用いるものであって、海水、汽水及び淡水を含みうる。取水された液体は、例えば、海水などのような塩化ナトリウムを含む液体であってもよいし、含んでいない液体であってもよい。また、液体が取水される領域は特に制限されず、海水域であってもよいし、淡水域でも、汽水域であってもよい。本明細書において「バラスト水」は、バラストタンク内に貯留される液体をいい、バラストタンク内に貯留するために取水口から取水された液体を含みうる。また、本明細書において、取水口は、シーチェストを含む。
【００１７】
本明細書において「水生微生物の殺菌処理」とは、処理対象である液体及び又はバラスト水に含まれる水生微生物の少なくとも一部を殺菌処理すること及び又は水生微生物の増殖を抑制することを含む。また、本明細書において「水生微生物の殺菌処理」とは、少なくとも水生微生物を殺菌処理すればよく、水生微生物の殺菌処理とあわせて、水生微生物よりも大きな生物やその他の生物等を殺菌処理してもよい。水生微生物の殺菌処理としては、好ましくはバラスト水の排出時において下記表１に示すバラスト水排出基準を満たすようにバラストタンク内の次亜塩素酸ナトリウム濃度を管理することを含み、より好ましくは、バラスト水の排出時において下記表１に示すバラスト水排出基準を満たすように殺菌処理を行うことを含む。
【００１８】
【表１】
2012086200.tif 000003
【００１９】
本明細書において「水生微生物」とは、海、川、湖等に生息する微生物を含み、海とつながっている河口、河川、運河等に生息し得る微生物を含みうる。水生微生物としては、例えば、酵母、カビ、植物性又は動物性プランクトン、プランクトンの卵や胞子、細菌類、菌類、ウイルス、藻類などの比較的微小サイズの水生生物等を含む。
【００２０】
本明細書において「薬液供給装置」とは、取水された液体及び又はバラスト水に次亜塩素酸ナトリウム水溶液を供給する装置であって、電気分解により次亜塩素酸ナトリウムを発生させる装置の形態や、次亜塩素酸ナトリウム又はその水溶液を貯留する装置の形態であってもよい。電気分解を用いた薬液供給装置としては、後述するように電解槽と貯留槽とを備える形態が挙げられる。電気分解を用いた薬液供給装置は、海水を利用して次亜塩素酸ナトリウムを生成できるから、例えば、船外から持ち込まれた殺菌剤等の特殊な化学薬品等を使用することなく、水生微生物の殺菌処理を行うことができる。海水等の貯留槽への供給は、バラスト水供給ラインからポンプやバルブを介して行ってもよく、船外から直接取水してもよい。また、生成された次亜塩素酸ナトリウムは水溶液の形態で貯留槽に貯留され、ポンプやバルブを介してバラスト水供給ラインに供給される。薬液供給装置は、バラスト水供給ラインに供給する次亜塩素酸ナトリウムの量を把握できるように、次亜塩素酸ナトリウムの濃度を計測できる計測器（以下、「次亜塩素酸ナトリウム濃度計」又は単に「濃度計」という。）及び流量計を備えることが好ましい。
【００２１】
また、電気分解を用いた薬液供給装置は、処理効率向上の点から、塩化ナトリウム水溶液貯留タンク及び／又は塩化ナトリウム貯蔵タンクを備えることが好ましい。塩化ナトリウム水溶液貯留タンク及び／又は塩化ナトリウム貯蔵タンクを備えることにより、タンク内に塩化ナトリウム水溶液／塩化ナトリウムを貯留し、必要に応じて塩化ナトリウム水溶液／塩化ナトリウムを電解槽に供給できる。これにより、例えば、バラスト水を淡水域で取水する船舶であっても、次亜塩素酸ナトリウムを発生させて次亜塩素酸ナトリウムによる殺菌処理を行うことができる。
【００２２】
本明細書において「船舶」とは、バラストタンクを備える船一般をいい、例えば、コンテナ船、ローロー船、タンカー、バルクキャリアを含む。
【００２３】
本明細書において「航行データ」とは、航行時間、排水までの時間、取水港の水質、航行海域の気象状況、及び／又は、航行中に得られるこれらに関する情報を含むデータをいう。
【００２４】
本明細書において、「薬液追加ライン」とは、薬液供給装置とバラストタンクとに接続するラインをいい、薬液供給装置内に貯留される次亜塩素酸ナトリウムをバラストタンクに供給することができる。薬液追加ラインには、必要に応じてポンプやバルブを配置できる。バラストタンクが複数の区分に分かれている場合には、薬液追加ラインも枝分かれし、各区分とそれぞれ接続することが好ましい。なお、薬液追加ラインとバラストタンクとの接続様式は、次亜塩素酸ナトリウムがバラストタンク内のバラスト水に供給できる形態であれば特に制限されない。
【００２５】
本発明のバラスト水処理システムは、一実施形態において、さらに、バラストタンク内のバラスト水の次亜塩素酸ナトリウム濃度を測定する濃度計と、前記薬液追加ラインを経由した次亜塩素酸ナトリウムの供給を制御する制御部とを備えることができる。前記制御部は、船舶の航行中に前記濃度計で測定された次亜塩素酸ナトリウム濃度が所定濃度以下となった場合に前記薬液供給装置から前記追加ラインを経由して次亜塩素酸ナトリウムを供給できる。本実施形態において、バラストタンクは、さらに、バラストタンク内のバラスト水の量を計測できる器具、例えば、液面計を備えてもよい。前記制御部は、前記濃度計と前記液面計の測定値に基づき、次亜塩素酸ナトリウムの供給量を決定し、供給できる。前記制御部は、さらに、航行データを参照して次亜塩素酸ナトリウムの供給量を決定してもよい。前記「所定濃度」は、例えば、水生微生物を殺菌処理（殺菌又は増殖抑制）できる下限値、あるいは、濃度計の検出限界に設定できる。
【００２６】
本発明のバラスト水処理システムは、その他の実施形態において、さらに、バラストタンク内のバラスト水の次亜塩素酸ナトリウム濃度、前記薬液供給装置内の次亜塩素酸ナトリウム濃度、及び航行データを記録する記録部を備えることができる。前記制御部は、前記記録部に記録された情報に基づいて前記薬液供給装置から前記追加ラインを経由して供給する次亜塩素酸ナトリウムの量を決定することを行ってもよい。前記制御部は、さらに、前記決定に基づき前記薬液供給装置から前記追加ラインを経由して次亜塩素酸ナトリウムをバラストタンクに供給することを行ってもよい。
【００２７】
バラストタンク内の次亜塩素酸ナトリウムは、自然分解の他、取水された液体中の微生物、有機物、及び／又はその他の水中成分の種類や量によっても影響され減衰する。したがって、バラストタンク内のバラスト水における濃度を前記濃度計により測定し、前記記録部に記録しておくことにより、加える次亜塩素酸ナトリウムの量と所定時間経過後における次亜塩素酸ナトリウム濃度をより正確に予測することが可能となる。例えば、目的地までの航行に必要最小限な濃度とするのに必要な量を予測して加えることで、バラスト水の排水時の還元剤使用及び放置時間を必要最小限としたり省略したりできる。
【００２８】
本発明は、その他の態様として、本発明のバラスト水処理システムを備える船舶に関する。
【００２９】
本発明は、また、その他の態様として、バラストタンクと、取水口と前記バラストタンクとを接続するバラスト水供給ラインと、前記ラインに接続し前記液体中の水生微生物を殺菌処理するための次亜塩素酸ナトリウム水溶液を前記ラインに供給する薬液供給装置とを備える船舶におけるバラストタンク内のバラスト水の次亜塩素酸ナトリウム濃度を管理するバラスト水処理方法であって、船舶の航行中に前記バラストタンク内のバラスト水の次亜塩素酸ナトリウム濃度が所定濃度以下となった場合に、前記バラスト水供給ラインとは別に一端が前記薬液供給装置に接続し他端がバラストタンクに接続する薬液追加ラインを経由してバラストタンク内に次亜塩素酸ナトリウムを供給することを含むバラスト水処理方法に関する。本発明のバラスト水処理方法は、本発明のバラスト水システムを用いて行うことができる。また、前記「所定濃度」は、例えば、水生微生物を殺菌処理（殺菌又は増殖抑制）できる下限値、あるいは、濃度計の検出限界に設定できる。前記薬液追加ラインを経由した次亜塩素酸ナトリウムの供給量は、バラストタンク内のバラスト水の濃度測定データ及びバラスト水の容積データ、並びに航行データに基づき決定されてもよい。
【００３０】
以下に、本発明を好適な実施の形態を示しながら詳細に説明する。但し、本発明は以下に示す実施の形態に限定されない。
【００３１】
（実施の形態１）
図１は、本発明の実施の形態１におけるバラスト水処理システムの構成を示す概略構成図である。
【００３２】
図１に示すように、本実施の形態１のバラスト水処理システムは、薬液供給装置１０１と、薬液追加ライン１０２とを含む。薬液供給装置１０１は、バラスト水供給ライン１０７に、ライン１０８及び１０９を介して接続している。ライン１０８は、バラスト水供給ライン１０７の次亜塩素酸ナトリウム水溶液が添加される前の取水された液体（バラスト水）を薬液供給装置１０１に供給するためのラインである。ライン１０９は、薬液供給装置１０１から次亜塩素酸ナトリウム水溶液をバラスト水供給ライン１０７に供給するためのラインである。なお、バラスト水供給ライン１０７から取水された液体を薬液供給装置に搬送するライン１０８に換えて直接外部から液体（海水等）をライン１１０によって取り入れてもよい。ライン１０８〜１１０は液を送るためのポンプを備えていてもよい。また、ライン１０９は、バラスト水供給ライン１０７へ次亜塩素酸ナトリウムの供給量を測定するため、次亜塩素酸ナトリウム濃度計及び流量計が好ましく、前記流量計は、総流量を計測可能な積算流量計ＦＭであることが好ましい。なお、図１では、ライン１０８〜１１０はそれぞれポンプを備えた形態を示しているが、本発明はこの形態に限られるものではなく、例えば、これらのポンプに替えて、薬液供給装置１０１に内蔵されたポンプ（図示せず）によって液体の搬送を行ってもよい。また、ライン１０９は、バラスト水供給ライン１０７ではなく、シーチェスト１０４に接続する形態でもよい。
【００３３】
バラスト水供給ライン１０７の一端は、バラストタンク１０３に接続する。通常、バラストタンクは、複数個のバラストタンク１０３ａ〜１０３ｄを含む形態である。バラスト水供給ライン１０７は、他端では、バラスト水を取水する取水口（シーチェスト）１０４、ストレーナ１０５、バラストポンプ１０６と接続する。また、次亜塩素酸ナトリウムが供給されるライン１０９とバラスト水供給ライン１０７との交点と、バラストタンク１０３との間に、流量計（ＦＭ）、及び、次亜塩素酸ナトリウム濃度計（Ｃ）が配置され、必要に応じて、バラストタンクに供給されたバラスト水の積算供給量及び積算次亜塩素酸ナトリウム量を算出できる。
【００３４】
バラスト水の注水時には、ライン１０７を通る取水された液体に対してライン１０９から次亜塩素酸ナトリウムが供給され、水生微生物等の殺菌処理がなされ、バラストタンク１０３に注水される。
【００３５】
薬液追加ライン１０２の一端も、バラストタンク１０３に接続する。図１に示すように、バラストタンクが複数の区分１０３ａ〜１０３ｄに分かれる形態の場合、薬液追加ライン１０２もそれぞれの区分へ分岐して接続することが好ましい。また、各区分１０３ａ〜１０３ｄに対してバルブを備え、必要に応じ、各分独立して薬液供給を行えることが好ましい。また、薬液追加ライン１０２のバラストタンク１０３側端は、薬液の拡散を容易にする観点から、バラストタンク内のバラスト水に接することが好ましく、バラストタンクのより深い部分まで達していることがより好ましい。薬液追加ライン１０２の他端は、薬液供給装置１０１と接続しており、必要に応じてポンプを備え、薬液供給装置１０１の内部に貯留する次亜塩素酸ナトリウムをバラストタンク１０３に供給する。なお、バラストタンク１０３は、バラストタンク内の濃度制御を容易とする点から、次亜塩素酸ナトリウム濃度計（Ｃ）及び液面計（Ｌ）を備えることが好ましい。複数の区分１０３ａ〜１０３ｄに分かれる形態の場合、各区分での濃度制御を容易にするため、各区分に前記濃度計及び前記液面計を備えることが好ましい。
【００３６】
電気分解を用いる薬液供給装置１０１としては、例えば、図２に示す薬液供給装置２０１が使用できる。図２は、電気分解を用いて水生微生物を殺菌処理可能な装置の構成の一例を示す概略構成図である。図２に示すように、薬液供給装置２０１は、貯留槽２１１と電解槽２１２とを備える。貯留槽２１１と電解槽２１２とはライン２１３、２１４によって接続されている。貯留槽２１１の液体はライン２１３を通じて電解槽２１２に搬送され、電解槽２１２において電解処理による殺菌処理が行われる。ついで、電解槽２１２で処理された液体はライン２１４を通じて貯留槽２１１に搬送される。貯留槽２１１と電解槽２１２との間は、次亜塩素酸ナトリウムを生成・貯留させる観点から、ライン２１３及び２１４によって循環されていることが好ましい。
【００３７】
このような薬液供給装置２０１では、電解処理を用いるため、例えば、船外から持ち込まれた殺菌剤等の特殊な化学薬品等を使用することなく、液体中の水生微生物の殺菌処理を行うことができる。電解槽２１２では、液体に含まれる塩化ナトリウムを電解処理することよって次亜塩素酸ナトリウムを発生させ、発生させた次亜塩素酸ナトリウムを用いて液体中の水生微生物を殺菌処理することが好ましい。
【００３８】
薬液供給装置２０１において、貯留槽２１１は、未処理及び／又は処理後の液体を貯留するためのタンクであって、貯留槽２１１は、電気分解を行う液体を導入するライン２１３と電気分解後の液体を排出するためのライン２１４とそれぞれ接続している。貯留槽は、薬液追加ライン１０２、並びに、ライン１０８、１０９、及び１１０と接続しうる。
【００３９】
貯留槽２１１は、次亜塩素酸ナトリウムの濃度計を備えることが好ましい。これにより、貯留槽２１１内の次亜塩素酸ナトリウム濃度を管理できるとともに、貯留槽２１１内の次亜塩素酸ナトリウム濃度に応じて、例えば、貯留槽２１１に供給する液体の量、電解槽２１２及び／又はバラスト水供給ライン１０７に搬送する液体の量等といった薬液供給装置２０１におけるバラスト水の処理を制御できる。
【００４０】
本実施の形態１のバラスト水処理システムは、前記薬液追加ライン１０２を経由した次亜塩素酸ナトリウムの供給を制御する制御部を備えることが好ましい。前記制御部は、船舶の航行中にバラストタンク１０３の濃度計で測定された次亜塩素酸ナトリウム濃度が所定濃度以下となった場合に薬液供給装置１０１から薬液追加ライン１０２を経由して次亜塩素酸ナトリウムをバラストタンク１０３へ供給できる。
【００４１】
（実施の形態２）
図３は、本発明の実施の形態２におけるバラスト水制御システムの構成を示す機能ブロック図である。本実施の形態２は、図１に示されるようなバラスト水処理システムに適用されうるバラスト水制御システムに関する。すなわち、図３のバラスト水制御システム３００は、バラストタンク１０３における濃度計等を含む測定部３０１、測定部３０１で測定された次亜塩素酸ナトリウム濃度を記録する記録部３０２、及び記録部３０２の濃度データに基づき、薬液供給装置１０１からの次亜塩素酸ナトリウムの供給量の増減を決定し、薬液追加ライン１０２からバラストタンク１０３に供給される次亜塩素酸ナトリウム量を制御する制御部３０３を備える。なお、図３のバラスト水制御システム３００は、図１に示される本実施の形態１のバラスト水処理システムに構成部分として含まれてもよい。
【００４２】
測定部３０１は、図４の測定部４０１に示すような構成であってもよい。すなわち、測定部４０１は、バラストタンク１０３における次亜塩素酸ナトリウム濃度計に加え、バラストタンク１０３における液面計、及び、薬液供給装置１０１の貯留槽２１１の次亜塩素酸ナトリウム濃度計を含みうる。測定部３０１で測定結果は記録部３０２に記録されうる。
【００４３】
記録部３０２は、図４の記録部４０２に示すようなデータを記録できる。すなわち、測定部４０１で測定されたバラスト水の次亜塩素酸ナトリウム濃度、バラスト水の容量、バラスト水を経時に測定した結果であるバラスト水における次亜塩素酸ナトリウムの減衰データ、航行データ（少なくとも排水までの時間を含むことが好ましい）、及び貯留槽の次亜塩素酸ナトリウム濃度が含まれうる。記録部４０２は、さらに、バラストタンク内で維持すべき次亜塩素酸ナトリウム濃度範囲も記録しておくことができる。
【００４４】
制御部３０３は、図４の制御部４０３に示すような構成とすることができる。すなわち、記録部４０２に記録されたデータからバラストタンク１０３へ薬液追加ライン１０２を介して供給する次亜塩素酸ナトリウム量を決定する分析部、及び、前記決定に基づいて薬液供給装置１０１から薬液追加ライン１０２を介してバラストタンク１０３へ供給する次亜塩素酸ナトリウムの量を制御する供給量制御部４１２が含まれうる。
【００４５】
図５を用いて本発明のバラスト水処理方法の一実施形態を説明する。図５に示すように、一般的には、バラストタンク内にバラスト水を注水後、あるいは、出航後に、バラストタンク内の濃度管理を開始する（Ｓ５０１）。まず、バラストタンク１０３内の濃度計で次亜塩素酸ナトリウム濃度の測定を開始する（Ｓ５０２）。併せて、液面計でバラスト水の容量を測定してもよい。これらの情報は、記憶部４０２で記憶されうる。また、次亜塩素酸ナトリウム濃度の測定値に基づき、分析部４１１において、追加の次亜塩素酸ナトリウムの要否が判断される（Ｓ５０３）。概して、バラスト水注水後は十分な次亜塩素酸ナトリウム濃度がある。この場合、供給量制御部４１２は薬液追加ライン１０２を介した薬液追加は行わない。次に制御部４０３は、濃度測定を継続するか判断する（Ｓ５０５）。船舶が目的地に着くまで、あるいは、バラスト水の排水が始まる前まで、濃度測定は継続してもよい。ある時点のバラストタンク１０３内の次亜塩素酸ナトリウム濃度が所定濃度以下となった場合、分析部４１１は薬液追加ライン１０２を介した次亜塩素酸ナトリウムの追加を決定する（Ｓ５０３）。薬液追加が決定すると、分析部４１１は、追加する次亜塩素酸ナトリウムの量を分析して決定する（Ｓ５０４）。次亜塩素酸ナトリウムの追加供給量は、その時点でのバラスト水の次亜塩素酸ナトリウム濃度、バラスト水容量、薬液供給装置１０１に貯留される次亜塩素酸ナトリウム水溶液の濃度、バラスト水における次亜塩素酸ナトリウム濃度の減衰速度、残り航行日数等の情報に基づき決定されうる。決定されると、該決定にしがたって供給量制御部４１２が薬液追加ライン１０２を介した薬液追加を行う。薬液追加後、制御部４０３は、濃度測定を継続するか判断する（Ｓ５０５）。目的地が近くなった場合、あるいは、バラスト水排水が近づいた場合、バラストタンク１０３内の濃度管理を終了する（Ｓ５０６）。但し、バラストタンクの濃度計によるバラスト水の次亜塩素酸ナトリウム濃度の測定は、排出時又は排出完了まで継続してもよい。
【産業上の利用可能性】
【００４６】
本発明は、船舶におけるバラスト水の処理において有用である。
【符号の説明】
【００４７】
１０１    薬液供給装置
１０２    薬液追加ライン
１０３    バラストタンク
１０４    シーチェスト（取水口）
１０５    ストレーナ
１０６    バラストポンプ
１０７    バラスト水供給ライン
１０８，１０９，１１０    ライン
２０１    薬液供給装置
２１１    貯留槽
２１２    電解槽
２１３，２１４    ライン
３００    バラスト水制御システム
【図１】
2012086200.tif 000004
【図２】
2012086200.tif 000005
【図３】
2012086200.tif 000006
【図４】
2012086200.tif 000007
【図５】
2012086200.tif 000008